(57)【要約】【課題】入賞口やアウト口以外の部位を通過して遊技板の裏面側に侵入した遊技媒体を、従来よりも容易に回収することが可能な遊技機の提供を目的とする。【解決手段】本発明のパチンコ遊技機１０は、入賞口１４Ａ，１４Ｂ，１５，２０，２１又はアウト口１６以外の部位である表示装飾枠２３を通過して遊技板１１の裏面側に侵入し、収納部５５内に転落した遊技球が、収納部５５の底部の収納底部排出口５５Ａから循環排出路５２２に排出するように構成した。これにより、侵入球を回収するために遊技板１１を外す必要が無くなり、遊技板１１を外した途端に侵入球が遊技場のフロアに散らばったり、遊技機内部の別の場所に入り込むという事態も起こらなくなる。つまり、本発明によれば、遊技板１１の裏面側に侵入した侵入球を、従来よりも容易に回収することができる。【選択図】図８
2012090921.tif 000002
【特許請求の範囲】
【請求項１】
遊技板に設けられて遊技媒体が順次打ち込まれる遊技領域に、遊技媒体の入賞に応じて遊技者に特典を付与するための入賞口と、前記遊技領域に配置されて前記入賞口に入賞しなかった遊技媒体を取り込むためのアウト口とを備え、前記遊技領域内の遊技媒体を、前記入賞口又は前記アウト口の何れかを通して前記遊技板の裏側の循環排出路に取り込んで遊技媒体循環システムへと排出する遊技機において、
前記遊技板の裏側或いは表側には、前記入賞口及び前記アウト口以外の部位を通過して前記遊技板の裏面側に侵入し、転落した遊技媒体を受け止めて、前記循環排出路へと案内するか、又は、遊技機の前面の貯留皿へと案内するか、又は、前記遊技媒体循環システム及び前記貯留皿とは異なる専用の遊技媒体回収部へと案内する侵入媒体ガイド部とを備え、
前記侵入媒体ガイド部は、前記遊技板の裏面側に侵入した遊技媒体が通過可能な収納部を備え、
前記収納部への遊技媒体の移動を可能とした退出位置と、前記収納部への遊技媒体の移動が困難或いは不可能な収納位置との間を進退する移動体を備えたことを特徴とする遊技機。
【請求項２】
前記侵入媒体ガイド部は、下端有底、上端開放の前記収納部と、前記収納部の底部に形成されて、前記収納部内の遊技媒体を前記循環排出路又は前記貯留皿又は遊技媒体回収部へと排出するための収納底部排出口と、落下した遊技媒体を受け止めて前記収納部内に案内する遊技媒体受止部とを備えたことを特徴とする請求項１に記載の遊技機。
【請求項３】
前記遊技板に貫通形成された視認窓と、
前記遊技板の裏面に固定される枠形構造をなすと共に、前記遊技板の裏面に対向した遊技板後方対向壁を後端部に有した枠部材と、
前記視認窓に後方から宛がわれた遊技演出用の演出装置と、
前記遊技板後方対向壁の下部の下方平板部と前記遊技板との間の中間に位置し、前記下方平板部のうち上下方向の中間位置より下側部分との間に前記収納部を形成する中間対向壁と、
前記中間対向壁から前記遊技板側或いは前記遊技板後方対向壁側に突出し、上面が前記遊技媒体受止部になった裏ステージ壁と、
上下動して前記収納部に対して進退すると共に、前記収納位置で少なくとも一部が前記視認窓の下部より下方に位置すると共に、前記退出位置で少なくとも一部が前記視認窓の下部より上方に出現する前記移動体としての可動役物と備え、
前記入賞口及び前記アウト口以外の部位としての前記視認窓を通過して前記遊技板の裏面側に侵入し、転落した遊技媒体を、前記裏ステージ壁の上面の前記遊技媒体受止部で受け止め、その遊技媒体が前記可動役物が前記収納位置に配置された状態で前記遊技媒体受止部に滞留したとしても、前記可動役物が前記退出位置に移動したときには、遊技媒体が前記収納部に移動して、前記収納部の前記収納底部排出口から前記循環排出路又は前記貯留皿へと排出されるようにしたことを特徴とする請求項２に記載の遊技機。
【請求項４】
前記移動体が前記収納位置に配置された状態で、前記収納部の左右方向における少なくとも一端側に前記遊技媒体受止部からの遊技媒体の転落領域が設けられると共に、
前記遊技媒体受止部は、前記遊技媒体転落領域が設けられた左右方向の一端側に向かって下るように傾斜したことを特徴とする請求項２又は３に記載の遊技機。
【請求項５】
前記収納部における前記遊技媒体転落領域の下方位置に前記収納底部排出口と隣り合わせにして前記循環排出路或いは前記遊技媒体回収部が配設されると共に、前記循環排出路或いは前記遊技媒体回収部と前記収納部とを区画する区画壁の上面が前記収納底部排出口に向かって下るように傾斜したことを特徴とする請求項４に記載の遊技機。
【請求項６】
前記遊技媒体受止部の下側には、前記入賞口又は前記アウト口を通過した遊技媒体を前記循環排出路に案内するための正規ガイドダクトが備えられていることを特徴とする請求項２乃至５の何れか１の請求項に記載の遊技機。
【請求項７】
前記移動体を前記収納位置と前記退出位置との間で往復動させるための駆動源と、
前記移動体の位置を検出する位置検出手段とを備え、
所定時間を超えて前記収納位置が検出されなかった場合に、前記駆動源にて前記移動体を前記退出位置に移動させるようにしたことを特徴とする請求項１乃至６の何れか１の請求項に記載の遊技機。
【請求項８】
前記移動体が前記収納位置から前記退避位置に移動する際に、前記収納部内に侵入した遊技媒体を前方へ押し出すことを特徴とする請求項１乃至７の何れか１の請求項に記載の遊技機。
【発明の詳細な説明】
【技術分野】
【０００１】
本発明は、遊技機に関する。
【背景技術】
【０００２】
従来の遊技機としては、前面に遊技領域を備えた遊技板の中央に、演出装置を配置するための視認窓を貫通形成したものが知られている（例えば、特許文献１参照）。
【先行技術文献】
【特許文献】
【０００３】
【特許文献１】特開２００８−２３７４１５号公報（段落［００１５］〜［００１６］、第２図）
【発明の概要】
【発明が解決しようとする課題】
【０００４】
ところが、上述した従来の遊技機では、例えば、遊技媒体としての遊技球が視認窓を通過して遊技板の裏面側に侵入することがある。その侵入球は、例えば、遊技板を外して回収していたが、遊技板の着脱作業が面倒であった。また、遊技板を外した途端に侵入球が遊技場のフロアに散らばったり、遊技機内部の別の部位に入り込んだりして、回収作業がさらに面倒になるという問題があった。
【０００５】
本発明は、上記事情に鑑みてなされたものであって、入賞口やアウト口以外の部位を通過して遊技板の裏面側に侵入した遊技媒体を、従来よりも容易に回収することが可能な遊技機の提供を目的とする。
【課題を解決するための手段】
【０００６】
上記目的を達成するためになされた請求項１の発明に係る遊技機は、遊技板に設けられて遊技媒体が順次打ち込まれる遊技領域に、遊技媒体の入賞に応じて遊技者に特典を付与するための入賞口と、遊技領域に配置されて入賞口に入賞しなかった遊技媒体を取り込むためのアウト口とを備え、遊技領域内の遊技媒体を、入賞口又はアウト口の何れかを通して遊技板の裏側の循環排出路に取り込んで遊技媒体循環システムへと排出する遊技機において、遊技板の裏側或いは表側には、入賞口及びアウト口以外の部位を通過して遊技板の裏面側に侵入し、転落した遊技媒体を受け止めて、循環排出路へと案内するか、又は、遊技機の前面の貯留皿へと案内するか、又は、遊技媒体循環システム及び貯留皿とは異なる専用の遊技媒体回収部へと案内する侵入媒体ガイド部とを備え、侵入媒体ガイド部は、遊技板の裏面側に侵入した遊技媒体が通過可能な収納部を備え、収納部への遊技媒体の移動を可能とした退出位置と、収納部への遊技媒体の移動が困難或いは不可能な収納位置との間を進退する移動体を備えたところに特徴を有する。
【０００７】
請求項２の発明は、請求項１に記載の遊技機において、侵入媒体ガイド部は、下端有底、上端開放の収納部と、収納部の底部に形成されて、収納部内の遊技媒体を循環排出路又は貯留皿又は遊技媒体回収部へと排出するための収納底部排出口と、落下した遊技媒体を受け止めて収納部内に案内する遊技媒体受止部とを備えたところに特徴を有する。
【０００８】
請求項３の発明は、請求項２に記載の遊技機において、遊技板に貫通形成された視認窓と、遊技板の裏面に固定される枠形構造をなすと共に、遊技板の裏面に対向した遊技板後方対向壁を後端部に有した枠部材と、視認窓に後方から宛がわれた遊技演出用の演出装置と、遊技板後方対向壁の下部の下方平板部と遊技板との間の中間に位置し、下方平板部のうち上下方向の中間位置より下側部分との間に収納部を形成する中間対向壁と、中間対向壁から遊技板側或いは遊技板後方対向壁側に突出し、上面が遊技媒体受止部になった裏ステージ壁と、上下動して収納部に対して進退すると共に、収納位置で少なくとも一部が視認窓の下部より下方に位置すると共に、退出位置で少なくとも一部が視認窓の下部より上方に出現する移動体としての可動役物と備え、入賞口及びアウト口以外の部位としての視認窓を通過して遊技板の裏面側に侵入し、転落した遊技媒体を、裏ステージ壁の上面の遊技媒体受止部で受け止め、その遊技媒体が可動役物が収納位置に配置された状態で遊技媒体受止部に滞留したとしても、可動役物が退出位置に移動したときには、遊技媒体が収納部に移動して、収納部の収納底部排出口から循環排出路又は貯留皿へと排出されるようにしたところに特徴を有する。
【０００９】
請求項４の発明は、請求項２又は３に記載の遊技機において、移動体が収納位置に配置された状態で、収納部の左右方向における少なくとも一端側に遊技媒体受止部からの遊技媒体の転落領域が設けられると共に、遊技媒体受止部は、遊技媒体転落領域が設けられた左右方向の一端側に向かって下るように傾斜したところに特徴を有する。
【００１０】
請求項５の発明は、請求項４に記載の遊技機において、収納部における遊技媒体転落領域の下方位置に収納底部排出口と隣り合わせにして循環排出路或いは遊技媒体回収部が配設されると共に、循環排出路或いは遊技媒体回収部と収納部とを区画する区画壁の上面が収納底部排出口に向かって下るように傾斜したところに特徴を有する。
【００１１】
請求項６の発明は、請求項２乃至５の何れか１の請求項に記載の遊技機において、遊技媒体受止部の下側には、入賞口又はアウト口を通過した遊技媒体を循環排出路に案内するための正規ガイドダクトが備えられているところに特徴を有する。
【００１２】
請求項７の発明は、請求項１乃至６の何れか１の請求項に記載の遊技機において、移動体を収納位置と退出位置との間で往復動させるための駆動源と、移動体の位置を検出する位置検出手段とを備え、所定時間を超えて収納位置が検出されなかった場合に、駆動源にて移動体を退出位置に移動させるようにしたところに特徴を有する。
【００１３】
請求項８の発明は、請求項１乃至７の何れか１の請求項に記載の遊技機において、移動体が収納位置から退避位置に移動する際に、収納部内に侵入した遊技媒体を前方へ押し出すところに特徴を有する。
【発明の効果】
【００１４】
［請求項１及び８の発明］
請求項１の発明によれば、入賞口又はアウト口以外の部位を通過して遊技板の裏面側に侵入した遊技媒体（以下、適宜「侵入媒体」という）は、侵入媒体ガイド部によって遊技媒体循環システムか、又は、遊技機の前面の貯留皿か、又は、専用の遊技媒体回収部に案内されるから、侵入媒体を回収するために遊技板を外す等の作業の必要が低減し、遊技板を外した途端に侵入媒体が遊技場のフロアに散らばったり、遊技機内部の別の部位に入り込む虞を低減することが可能である。このように、本発明によれば、入賞口やアウト口以外の部位を通過して遊技板の裏面側に侵入した遊技媒体を、従来よりも容易に回収することができる。
【００１５】
また、請求項１の発明によれば、移動体が収納位置に配置された状態で遊技媒体が遊技板の裏面側に侵入し、その侵入媒体が収納部に移動困難或いは移動不可能になったとしても、可動役物が退出位置に移動することで、侵入媒体を収納部に移動させることができ、収納部を通過させて遊技媒体循環システムか、又は、遊技機の前面の貯留皿か、又は、専用の遊技媒体回収部に案内することができる。ここで、請求項８の発明のように、移動体が収納位置から退出位置に移動する際に、移動体が侵入媒体を前方に押し出すようにしてもよい。
【００１６】
［請求項２の発明］
請求項２の発明によれば、遊技板の裏面側に侵入した遊技媒体は、遊技媒体受止部で受け止められて移動体を収納する収納部に転落し、収納部の底部の収納底部排出口から循環排出路又は貯留皿に排出される。遊技媒体を遊技媒体受止部で受け止めることで、収納部以外の場所に侵入媒体が移動することを抑制することができる。
【００１７】
［請求項３の発明］
請求項３の発明によれば、移動体が収納位置に配置された状態で遊技媒体が視認窓を通過して遊技板の裏面側に侵入し、遊技媒体受止部で滞留したとしても、移動体が退出位置に移動することで、滞留した侵入媒体を収納部に移動させて収納底部排出口から循環排出路又は貯留皿又は専用の遊技媒体回収部に排出させることができる。このように、遊技板の裏面側で侵入媒体が滞留した場合でも、その侵入媒体は遊技中に可動役物が動作することによって回収することができる。
【００１８】
［請求項４の発明］
請求項４の発明によれば、移動体が収納位置に配置された状態で、遊技媒体受止部に受け止めた遊技媒体を、その傾斜によって収納部における遊技媒体転落領域の方に移動させて収納部に転落させることができるから、遊技媒体受止部で侵入媒体が滞留し難くなる。
【００１９】
［請求項５の発明］
請求項５の発明によれば、循環排出路又は遊技媒体回収部と収納部とを区画する区画壁の上面の傾斜を利用して、遊技媒体受止部から収納部内に転落した遊技媒体を収納底部排出口に向けて案内することができる。
【００２０】
［請求項６の発明］
請求項６の発明によれば、遊技媒体受止部の下側に正規ガイドダクトを備えたことで、遊技機内部の限られたスペースを有効利用することができる。
【００２１】
［請求項７の発明］
請求項７の発明によれば、位置検出手段が所定時間を超えて収納位置を検出しなかった場合に、移動体を退出位置に移動させることで、移動体と収納部との間に挟まっていた遊技媒体を排出させることができる。
【図面の簡単な説明】
【００２２】
【図１】本発明の一実施形態に係るパチンコ遊技機の正面図
【図２】可動役物が上昇した状態のパチンコ遊技機の正面図
【図３】裏セット盤の正面図
【図４】裏セット盤の部分正断面図
【図５】裏セット盤の斜視図
【図６】裏セット盤の斜視図
【図７】可動役物が収納位置のときの裏セット盤の部分正断面図
【図８】可動役物が退出位置のときの裏セット盤の部分正断面図
【図９】可動役物が収納位置のときの裏セット盤の斜視図
【図１０】可動役物が退出位置のときの裏セット盤の斜視図
【発明を実施するための形態】
【００２３】
以下、本発明を適用したパチンコ遊技機１０に係る一実施形態を、図１〜図１０に基づいて説明する。図１に示すように、遊技板１１の前面には、ガイドレール１２で囲まれたほぼ円形の遊技領域Ｒ１が形成されている。
【００２４】
遊技板１１の前面は、パチンコ遊技機１０の前面に開閉可能に取り付けられた前面枠１０Ｚにて覆われ、その前面枠１０Ｚに形成されたガラス窓１０Ｗを通して遊技領域Ｒ１の全体が視認可能となっている。ガラス窓１０Ｗの周囲には、装飾ランプ３５が設けられ、ガラス窓１０Ｗより下方には、上皿２６及び下皿２７が上下２段にして設けられている。上皿２６の両側には、スピーカ２５，２５が備えられ、下皿２７の右端部には操作ノブ２８が設けられている。そして、操作ノブ２８を回動操作すると、上皿２６に収容された「遊技媒体」としての遊技球が遊技領域Ｒ１に向けて弾き出される。なお、上皿２６に備えたボタン２９を押すと上皿２６に収容されている遊技球が下皿２７へと移動する。上皿２６及び下皿２７は本発明の「貯留皿」に相当する。
【００２５】
遊技板１１のうち遊技領域Ｒ１の中央には、遊技板開口部１１Ｈ（本発明の「視認窓」に相当する）が貫通形成されており、その遊技板開口部１１Ｈに遊技板１１の裏面側から表示装置３０（本発明の「演出装置」に相当する）が対向している。表示装置３０は、液晶モジュール（例えば、ＴＦＴ−ＬＣＤモジュール）で構成され、その表示画面３０Ｇが、遊技板１１の裏面よりさらに奥側に配置されている。
【００２６】
遊技板１１の前面中央には、表示画面３０Ｇを囲むように表示装飾枠２３が取り付けられている。表示装飾枠２３は、遊技板１１の前面側から遊技板開口部１１Ｈに嵌め込まれ、遊技板開口部１１Ｈの内側に張り出すと共に、遊技板１１の前面から突出している。そして、遊技領域Ｒ１を流下する遊技球が、表示装飾枠２３の前側を通過して表示装飾枠２３の内側に進入しないように構成されている。
【００２７】
遊技領域Ｒ１には、遊技球を遊技板１１の裏面側に取り込む複数の入球口が形成されている。具体的には、表示装飾枠２３の下方における左右方向の中央部には、第１及び第２の始動入賞口１４Ａ，１４Ｂ、大入賞口１５及びアウト口１６が、上から順に間隔を開けて並べて設けられている。また、大入賞口１５の左右両側には、サイド入賞口２１，２１が設けられ、始動入賞口１４Ａ，１４Ｂの左側には、ガイドレール１２に沿って一般入賞口２０，２０が設けられている。また、表示装飾枠２３の左側には、始動ゲート１８と風車１９とが上下に並べて設けられている。また、図示しないが、遊技領域Ｒ１には多数の障害釘が植設されている。なお、遊技領域Ｒ１に設けられた各入賞口１４Ａ，１４Ｂ，１５，２０，２１が本発明の「入賞口」に相当する。
【００２８】
遊技領域Ｒ１の各部位についてさらに詳説する。始動ゲート１８は、遊技球が潜って通過可能な門形構造をなしている。始動ゲート１８を遊技球が通過すると当否判定が行われる。その当否判定の結果は、表示装置３０の表示画面３０Ｇ或いは、表示装置３０とは別の表示装置（図示せず）にて表示される。例えば、当たり（以下、「小当たり」という）の場合は「○」が表示され、外れの場合は「×」が表示される。
【００２９】
第１及び第２の始動入賞口１４Ａ，１４Ｂは、共に遊技板１１の前面から突出した部材の上面に遊技球が１つずつ入賞可能な開口を備えた、所謂、ポケット構造をなしている。
【００３０】
下側に配置された第２の始動入賞口１４Ｂは、第１の始動入賞口１４Ａの真下に配置され、その開口の左右両側には可動翼片１４Ｃ，１４Ｃが備えられている。これら両可動翼片１４Ｃ，１４Ｃは、常には起立状態になっている。また、第２の始動入賞口１４Ｂの上方空間は、常には、第１の始動入賞口１４Ａを構成する部材と可動翼片１４Ｃ，１４Ｃとで囲まれて、遊技球が入らないようになっている。そして、上述した「小当たり」となった場合に、遊技板１１の裏側に設けたソレノイド（図示せず）によって可動翼片１４Ｃ，１４Ｃが所定期間に亘って横に倒される。すると、第２の始動入賞口１４Ｂの上方空間が側方に開放し、第１の始動入賞口１４Ａの両脇を通過した遊技球が可動翼片１４Ｃに受け止められて第２の始動入賞口１４Ｂに案内されるようになる（図１の状態）。
【００３１】
各始動入賞口１４Ａ，１４Ｂに入賞した遊技球は、遊技板１１の裏側に取り込まれ、後述する裏セット盤５０に備えた循環排出路５２１を通って遊技場の遊技球循環システム（図示せず）に回収される。
【００３２】
また、各始動入賞口１４Ａ，１４Ｂに遊技球が入賞すると、特典として、例えば、１個の入賞につき４個の遊技球が上皿２６に払い出されると共に、当否判定が行われる。その判定結果は、表示装置３０にて表示される。
【００３３】
具体的には、表示装置３０には、図１に示すように、通常、３つの左、中、右の特別図柄３２Ａ，３２Ｂ，３２Ｃが横並びに停止表示されている。これら各特別図柄３２Ａ，３２Ｂ，３２Ｃは、例えば、「０」〜「１１」の数字を表記した複数種類のもので構成されており、通常は、各特別図柄３２Ａ，３２Ｂ，３２Ｃごと、所定の種類のものが停止表示されている。そして、始動入賞口１４Ａ，１４Ｂに遊技球が入賞したときに、これら３つの特別図柄３２Ａ，３２Ｂ，３２Ｃが、上下方向にスクロール表示され、所定時間後に、例えば、左、右、中の順で各特別図柄３２Ａ，３２Ｂ，３２Ｃが停止表示される。始動入賞口１４Ａ，１４Ｂへの入賞に起因した当否判定結果が当たり（以下、「大当たり」という）の場合には、図１に示すように３つの特別図柄３２Ａ，３２Ｂ，３２Ｃが全て同じ図柄（ゾロ目）で停止表示され、その後、遊技が「大当たり状態」に移行する。これに対し、判定結果が外れの場合には、ゾロ目以外の組み合わせで停止表示され、通常の遊技状態が続行する。
【００３４】
大入賞口１５は横長矩形状をなしており、通常の遊技状態では、可動扉１５Ｔにて閉塞されている。これに対し、「大当たり状態」になると、遊技板１１の裏側に設けたソレノイドによって可動扉１５Ｔが所定期間に亘って前側に倒される（図１に示す状態）。すると、大入賞口１５が前方に開放し、可動扉１５Ｔを案内にして大入賞口１５に多くの遊技球が入賞可能となる。
【００３５】
大入賞口１５に遊技球が入賞すると、特典として、例えば、１個の入賞につき１５個の遊技球が上皿２６に払い出される。また、大入賞口１５に入賞した遊技球は、遊技板１１の裏側に取り込まれ、後述する裏セット盤５０に備えた循環排出路５２２を通って遊技場の遊技球循環システム（図示せず）に回収される。
【００３６】
サイド入賞口２１，２１及び一般入賞口２０，２０に遊技球が入賞した場合も、特典として、１個の入賞につき所定複数個の遊技球が上皿２６に払い出される。また、サイド入賞口２１，２１及び一般入賞口２０，２０に入賞した遊技球は遊技板１１の裏側に取り込まれ、後述する裏セット盤５０に備えた循環排出路５２３を通って遊技球循環システム（図示せず）に回収される。
【００３７】
上述した各入賞口１４Ａ，１４Ｂ，１５，２０，２１の何れにも入賞しなかった遊技球は、遊技領域Ｒ１の下端に配置されたアウト口１６に全て取り込まれる。アウト口１６に入球した遊技球も、後述する裏セット盤５０に備えた循環排出路５２３を通って遊技球循環システム（図示せず）に回収される。
【００３８】
表示装飾枠２３は、中央部に開口部を備えかつ遊技の演出内容に対応したデザイン形状をなした枠形構造をなしている。表示装飾枠２３の下辺の内側上面は、遊技球が左右に転動可能なステージ２４となっている。ステージ２４は、左右両側から中央部に向かって下るように傾斜している。また、表示装飾枠２３には、遊技領域Ｒ１を流下する遊技球をステージ２４に誘導するサイドワープ路２３Ｗが形成されている。サイドワープ路２３Ｗは、例えば、表示装飾枠２３の右側辺を貫通しており、表示装飾枠２３の右側方を流下する遊技球をステージ２４に誘導可能となっている。
【００３９】
また、表示装飾枠２３の下辺中央には、ステージ２４上の遊技球を、第１の始動入賞口１４Ａの真上から流下させるためのセンターワープ路２４Ｗが設けられている。ステージ２４上を左右に転動した遊技球の多くはステージ２４の前端縁から下方に流下する一方で、一部の遊技球はステージ２４の中央部でセンターワープ路２４Ｗに転入する。そして、センターワープ路２４Ｗを通過した多くの遊技球は第１の始動入賞口１４Ａに入賞する。
【００４０】
ところで、本実施形態のパチンコ遊技機１０は、表示装飾枠２３の内側領域で出没動作をする可動役物４０を備えている。可動役物４０は、遊技の演出内容に対応したデザイン形状をなしている。詳細には、可動役物４０は、パチンコ遊技機１０の前後方向において、表示装飾枠２３のステージ２４及び遊技板１１より奥側でかつ表示画面３０Ｇより手前側に配置されている。可動役物４０は上下方向に直動可能となっており、通常は、図１に示すように、表示画面３０Ｇより下方、即ち、表示画面３０Ｇと重ならない収納位置に配置されている。このとき、可動役物４０の上端部分のみが遊技者から視認可能であり、それ以外の部分は遊技板１１及び表示装飾枠２３の裏側に隠れて視認不可能となっている。
【００４１】
これに対し、特定の条件が成立すると（例えば、「大当たり状態」になると）、可動役物４０は図１に示す収納位置から上昇して、図２に示すように表示画面３０Ｇと重なった退出位置に配置される。このとき、可動役物４０の下端部以外のほぼ全体が遊技者から視認可能となり、表示画面３０Ｇに表示される演出用画像と可動役物４０とによる一体的な演出が行われる。なお、可動役物４０の内部には、図示しない発光素子が内蔵されており、次述する裏セット盤５０に組み付けられた回路基板との間がフレキシブルケーブル（図示せず）によって連結されている。
【００４２】
可動役物４０は、遊技板１１の裏面側に配置された裏セット盤５０（本発明の「枠部材」に相当する）に組み付けられている。
【００４３】
図３に示すように、裏セット盤５０は、遊技板１１の裏面に重ねて固定されるベース盤５１の下側部分に可動役物４０を含む複数の構成部品を組み付けて構成されている。ベース盤５１は、遊技板１１の裏面と対向した主板壁５１Ａ（本発明の「遊技板後方対向壁」に相当する）と、その外縁部から前方に起立した囲壁５１Ｂとを有し、前後方向で扁平な箱形構造をなしている。囲壁５１Ｂの四隅には、その前端縁から側方に張り出した複数の鍔壁５１Ｃ，５１Ｃが一体形成され、それら鍔壁５１Ｃ，５１Ｃが遊技板１１の裏面に宛われている。そして、それら鍔壁５１Ｃ，５１Ｃを貫通した複数の螺子により裏セット盤５０が遊技板１１の裏面に固定されている。
【００４４】
裏セット盤５０の上側部分には、主板壁５１Ａを貫通した矩形状のセット盤開口部５１Ｄが形成されている。セット盤開口部５１Ｄには、裏セット盤５０の後方から表示装置３０が嵌め込まれており、主板壁５１Ａの前面と表示画面３０Ｇとが略面一に配置されている。
【００４５】
主板壁５１Ａのうちセット盤開口部５１Ｄより下方部分（本発明の「下方平板部」に相当する）には、可動役物４０及び複数の壁状部品５２Ａ，５２Ｌ，５２Ｒ，５２Ｘ，５２Ｙが組み付けられている。これら壁状部品５２Ａ，５２Ｌ，５２Ｒ，５２Ｘ，５２Ｙは、それぞれ所定形状に成形された樹脂成形品であって、互いに重なった状態で螺子止めされている。
【００４６】
裏セット盤５０の正面視右寄り位置で互いに重なった壁状部品５２Ｘ，５２Ｙの間には、上皿２６から下皿２７に遊技球を移動させるための球移動通路５４が形成されている。
【００４７】
また、壁状部品５２Ａの前面に重ねられて裏セット盤５０の前端面と面一になった左右１対の壁状部品５２Ｌ，５２Ｒには、各入賞口１４Ａ，１４Ｂ，２０，２１に入賞した遊技球を、遊技場の遊技球循環システムに導くための循環排出路５２１，５２３が形成されている。これら循環排出路５２１，５２３は前面側（遊技板１１の裏面側）に開放した溝構造をなしている。そして、裏セット盤５０を遊技板１１の裏面に固定すると、循環排出路５２１，５２３の前面開口が遊技板１１の裏面にて閉塞されるようになっている。なお、循環排出路５２１，５２３には、遊技球の通過を検出するためのセンサが組み付けられている。
【００４８】
図３に示すように、可動役物４０は、セット盤開口部５１Ｄの下方における左右方向の中央に配設されている。可動役物４０の裏面とベース盤５１の主板壁５１Ａとの間は、上下方向に延びた直動ガイド４９によって連結されている（図４参照）。この直動ガイド４９によって可動役物４０が図１に示す収納位置と図２に示す退出位置との間で上下動可能に支持されている。
【００４９】
可動役物４０は、その右側方位置に配置されたモータ４８によって駆動される。可動役物４０とモータ４８の出力回転軸との間は、主板壁５１Ａに支持された複数の平ギヤ４７，４７と、可動役物４０の裏面側に備えた図示しないラックギヤとを介して連結されている。
【００５０】
図３に示すように、可動役物４０の前方には、遊技板１１の裏面と主板壁５１Ａとの中間に位置する壁状部品５２Ａ（本発明の「中間対向壁」に相当する。以下「中間壁状部品５２Ａ」という）が配設されており、その中間壁状部品５２Ａと主板壁５１Ａとの間に、可動役物４０を収納可能な収納部５５（図５及び図６参照）が形成されている。収納部５５は、下端有底、上端開放でかつ前後方向に扁平な構造をなしている。また、収納部５５の底部には、前方（遊技板１１側）に開放した横長の収納底部排出口５５Ａが形成されている。なお、図３，図５，図６，図９及び図１０では、中間壁状部品５２Ａとその他の壁状部品５２Ｌ，５２Ｒ，５２Ｘ，５２Ｙとが色分けして示されている。
【００５１】
収納部５５には、収納位置に配置された可動役物４０の概ね下半分が収納される。また、収納位置に配置されたときに収納部５５に収納されなかった可動役物４０の上側部分は、遊技板開口部１１Ｈの下辺内側に張り出した表示装飾枠２３の下辺裏側に隠れる（図１参照）。
【００５２】
収納部５５（中間壁状部品５２Ａ）と遊技板１１の裏面との間には、前後方向に扁平な装置配設空間５７が形成されている。装置配設空間５７は、裏セット盤５０の前端面（遊技板１１の裏面）から後方に凹んでおり、収納底部排出口５５Ａを介して収納部５５と連絡している。
【００５３】
装置配設空間５７には、遊技板１１の裏面側に突出した状態で組み付けられた図示しない大入賞装置及び始動入賞装置が配置されている。大入賞装置は、大入賞口１５に入賞した遊技球をセンサで検知すると共に、循環排出路５２２に案内する構成となっている。また、始動入賞装置は、始動入賞口１４Ａ，１４Ｂに入賞した遊技球をセンサで検知すると共に、循環排出路５２１に案内する構成となっている。なお、これら大入賞装置及び始動入賞装置は、本発明の「正規ガイドダクト」に相当する。
【００５４】
収納部５５と装置配設空間５７とを仕切った中間壁状部品５２Ａの上端縁からは、遊技板１１側（前方）に向かって裏ステージ壁５２Ｈが庇状に突出している。裏ステージ壁５２Ｈは、ステージ２４の下方かつ可動役物４０の前方で左右方向に延びており、その上面（本発明の「遊技媒体受止部」に相当する）が中央部から左右両側に向かってなだらかな下り傾斜となっている。
【００５５】
また、裏ステージ壁５２Ｈの後端縁５２Ｈ１（図５及び図６参照）と、収納位置に配置された可動役物４０の前面との間には、それらの接触を回避するためのクリアランスが設けられている。このクリアランスの幅は、裏ステージ壁５２Ｈの左右方向の中央部において遊技球の直径より小さくなっているのに対し、左端部分では遊技球の直径よりも大きくなっている。即ち、可動役物４０が収納位置に配置された状態で、収納部５５の左右方向における左側に、裏ステージ壁５２Ｈからの遊技球の転落領域５６が設けられている（図９参照）。
【００５６】
なお、裏ステージ壁５２Ｈの後端縁５２Ｈ１のうち左右方向の中央部分は、可動役物４０の前面形状に対応してＶ字形に凹んだ形状をなしている。このＶ字の頂点から前方に延びた稜線を境にして裏ステージ壁５２Ｈの傾斜方向が反転している。
【００５７】
図３に示すように、ベース盤５１のうち収納底部排出口５５Ａの左隣には、大入賞口１５及びアウト口１６に入った遊技球を遊技球循環システムに導くための循環排出路５２２が形成されている。循環排出路５２２は、前記遊技球転落領域５６の真下位置に配置されており、ベース盤５１の前後方向及び下方に開放した門形構造をなしている。また、循環排出路５２２と収納部５５とを区画した門形の区画壁５８の上面が、収納底部排出口５５Ａに向かってなだらかな下り傾斜となっている。そして、循環排出路５２２はその前端部において装置配設空間５７の下端部と連絡している。つまり、装置配設空間５７及び収納底部排出口５５Ａを介して、収納部５５と循環排出路５２２とが連絡している。
【００５８】
本実施形態のパチンコ遊技機１０の構成は以上であって、次に動作説明を行う。遊技者が操作ノブ２８を操作すると遊技領域Ｒ１に遊技球が弾き出される。その遊技球は、遊技領域Ｒ１に配設された障害釘や表示装飾枠２３等に衝突してランダムに方向を変えなから流下する。
【００５９】
遊技領域Ｒ１を流下する遊技球の一部は、サイドワープ路２３Ｗを通過してステージ２４に転入する。この遊技球は、ステージ２４上で左右に転動した後、ステージ２４の前端縁から下方に流下する。また、ステージ２４に進入した一部の遊技球は、ステージ２４中央部からセンターワープ路２４Ｗを通って下方に流下する。
【００６０】
遊技球が始動ゲート１８を通過して小当たりになると、第２の始動入賞口１４Ｂに備えた可動翼片１４Ｃ，１４Ｃが拡開して、第２の始動入賞口１４Ｂに遊技球が入賞可能となる。
【００６１】
第１の始動入賞口１４Ａ又は第２の始動入賞口１４Ｂに入賞すると、特別図柄表示装置３４に表示された特別図柄３２Ａ，３２Ｂ，３２Ｃが、上下方向にスクロールして変動表示される。このとき、スピーカ２５，２５や装飾ランプ３５等によって様々な演出が行われる。
【００６２】
特別図柄３２Ａ，３２Ｂ，３２Ｃがゾロ目で停止表示すると、通常の遊技状態から大当たり状態に移行する。大当たり状態になると大入賞口１５が開放し、遊技球が大入賞口１５に入賞する。また、収納位置で停止していた可動役物４０が上昇して表示画面３０Ｇと重なった退出位置に配置される。そして、表示画面３０Ｇの演出画像と可動役物４０とによる一体的な演出が行われる。
【００６３】
また、何れの入賞口１４Ａ，１４Ｂ，１５，２０，２１にも入賞しなかった遊技球は、全てアウト口１６に取り込まれる。そして、遊技領域Ｒ１を流下して入賞口１４Ａ，１４Ｂ，１５，２０，２１又はアウト口１６に入った遊技球は、遊技板１１の裏側に備えた循環排出路５２１，５２２，５２３に取り込まれて、遊技場の遊技球循環システムに回収される。
【００６４】
ところで、パチンコ遊技機１０は、通常の使用状態において、遊技球が入賞口１４Ａ，１４Ｂ，１５，２０，２１やアウト口１６以外の部位を通過して遊技板１１の裏面側に侵入することがないように設計されているが、不測の事態が起きた場合には、遊技球が遊技板開口部１１Ｈ（表示装飾枠２３）の内側を通過して遊技板１１（ステージ２４）の裏面側に侵入する可能性がある。
【００６５】
遊技板開口部１１Ｈを通って遊技板１１の裏面側に遊技球が侵入する原因としては、例えば、遊技中に遊技領域Ｒ１を流下する遊技球が想定外の跳ね方をした場合、遊技機のどこかに遊技球が引っ掛かっている状態で前面枠１０Ｚを開放したことにより、引っ掛かっていた遊技球が落下した場合、表示装飾枠２３の検査や交換等のために表示装飾枠２３を遊技板１１から外した状態で遊技領域Ｒ１を遊技球が流下した場合等が考えられる。
【００６６】
これに対し、本実施形態のパチンコ遊技機１０では、遊技板開口部１１Ｈ（表示装飾枠２３）の内側を通って遊技板１１の裏面側に侵入した遊技球（以下、適宜「侵入球」という）を、以下のようにして回収することが可能となっている。即ち、表示装飾枠２３を通過して遊技板１１の裏面側に侵入し、転落した侵入球は、裏ステージ壁５２Ｈで一旦受け止められてから収納部５５に転落し、区画壁５８の上面に落下する。また、遊技板１１の裏面に侵入したときに可動役物４０が収納位置に配置されている場合には、可動役物４０と裏ステージ壁５２Ｈとの間のクリアランスにて侵入球が保持されて、裏ステージ壁５２Ｈ上で侵入球が滞留し得る（図７及び図９参照）。
【００６７】
可動役物４０が収納位置に位置している場合、収納底部排出口５５Ａが可動役物４０にて閉塞されるので、区画壁５８の上面に落下した侵入球は区画壁５８上で滞留する（図７参照）。この状態から可動役物４０が退出位置に向かって上昇すると、収納底部排出口５５Ａが開放すると共に、区画壁５８上の侵入球が収納底部排出口５５Ａに向かって転落する。そして、侵入球は、収納底部排出口５５Ａ、装置配設空間５７及び循環排出路５２２を通って遊技球循環システムに回収される（図８及び図１０参照）。
【００６８】
また、裏ステージ壁５２Ｈ上で滞留した侵入球は、可動役物４０が収納位置から退出位置に向かって上昇するときに、裏ステージ壁５２Ｈの傾斜に案内されて左側に転動し、裏ステージ壁５２Ｈの左寄り位置から収納部５５内に転落する。この侵入球は区画壁５８の上面で受け止められた後、区画壁５８の上面の傾斜によって収納底部排出口５５Ａに案内され、装置配設空間５７及び循環排出路５２２を通って遊技球循環システムに排出される（図８及び図１０参照）。即ち、入賞口１４Ａ，１４Ｂ，１５，２０，２１やアウト口１６以外の部位（表示装飾枠２３の内側）を通過して遊技板１１の裏面側に侵入した侵入球が、アウト口１６や大入賞口１５を通過した遊技球と同じように、循環排出路５２２を通って遊技球循環システムに回収される。なお、本発明に係る「侵入媒体ガイド部」は、上述したように、遊技板１１の裏面側に侵入した遊技球を循環排出路５２２まで案内することに寄与した部分、具体的には、裏ステージ壁５２Ｈ、収納部５５、区画壁５８、収納底部排出口５５Ａを含んだ構成となっている。なお、侵入媒体ガイド部の一部は、遊技板１１の表側に位置していてもよい。
【００６９】
このように、本実施形態のパチンコ遊技機１０は、入賞口１４Ａ，１４Ｂ，１５，２０，２１又はアウト口１６以外の部位である遊技板開口部１１Ｈを通過して遊技板１１の裏面側に侵入し、収納部５５内に転落した遊技球が、収納部５５の底部の収納底部排出口５５Ａから循環排出路５２２に排出されるように構成したから、侵入球を回収するために遊技板１１を外す必要が無くなり、遊技板１１を外した途端に侵入球が遊技場のフロアに散らばったり、遊技機内部の別の部位に入り込むという事態も起こらなくなる。つまり、本発明によれば、遊技板１１の裏面側に侵入した侵入球を、従来よりも容易に回収することができる。
【００７０】
ここで、本発明に係る収納底部排出口５５Ａを備えていない場合には、収納部５５内に転落した遊技球を回収するために遊技板１１を外したとしても、可動役物４０が遊技球の回収を妨げる虞がある。これに対し、本発明によれば、可動役物４０が収納される収納部５５内に転落した遊技球を容易に回収することができる。
【００７１】
また、遊技板１１の裏面側に侵入して転落した遊技球を裏ステージ壁５２Ｈで受け止めることで、収納部５５以外の場所に遊技球が移動することを防止することができる。
【００７２】
また、可動役物４０が収納位置に配置された状態で遊技球が遊技板１１の裏面側に侵入し、裏ステージ壁５２Ｈ上で滞留したとしても、遊技の過程で可動役物４０が退出位置に移動することで、滞留した侵入球を収納部５５に転落させて、収納底部排出口５５Ａから循環排出路５２２に排出させることができる。
【００７３】
また、裏ステージ壁５２Ｈに受け止められた遊技球を、その上面の傾斜によって遊技球転落領域５６の方に移動させて、遊技球転落領域５６に転落させることができるから、裏ステージ壁５２Ｈで侵入球が滞留し難くすることができる。
【００７４】
また、循環排出路５２２と収納部５５とを区画した区画壁５８の上面の傾斜を利用して、裏ステージ壁５２Ｈから収納部５５に転落した遊技球を、収納底部排出口５５Ａに向けて案内することができる。
【００７５】
さらに、裏ステージ壁５２Ｈの下側に形成された装置配設空間５７に、遊技板１１の裏面側に突出した大入賞装置や始動入賞装置を配置したことで、遊技機内部の限られたスペースを有効利用することができる。
【００７６】
また、遊技板１１の裏面側に侵入した侵入球を、アウト口１６を通過した遊技球と同じ循環排出路５２２に排出するようにしたことで、侵入球を入賞口１４Ａ，１４Ｂ，１５，２０，２１への入賞球として誤検知することを防ぐことができる。
【００７７】
なお、上記実施形態のパチンコ遊技機を概念的にまとめると、以下のようになる。即ち、遊技板の前面に設けられて遊技球が順次打ち込まれる遊技領域に、遊技球の入球に応じて遊技者に特典を付与するための入賞口と、前記遊技領域の下端に配置されて前記入賞口に入球しなかった遊技球を全て取り込むためのアウト口とを備え、前記遊技領域内の遊技球を、前記入賞口又は前記アウト口の何れかを通して前記遊技板の裏側の循環排出路に取り込んで遊技場の遊技球循環システムへと排出する遊技機において、前記遊技板の裏側には、前記入賞口及び前記アウト口以外の部位を通過して前記遊技板の裏面側に侵入し、転落した遊技球を受け止めて、前記循環排出路へと案内する侵入球ガイド部を備えた遊技機である。
【００７８】
また、前記侵入球ガイド部には、下端有底、上端開放の収納部と、前記収納部の底部に形成されて、前記収納部内の遊技球を前記循環排出路へと排出するための収納底部排出口と、落下した遊技球を受け止めて前記収納部内に案内する球受止部とが備えられ、前記収納部の奥側の収納位置と上端開口側の退出位置との間を進退し、少なくとも前記退出位置では前記球受止部から前記収納部への遊技球の移動を許容する移動体を設けた遊技機である。
【００７９】
また、前記遊技板の前記遊技領域に貫通形成された第１表示窓（遊技板開口部１１Ｈ）と、前記遊技板の裏面に固定される枠形構造をなすと共に、前記遊技板の裏面に対向した遊技板後方対向壁を後端部に有した枠部材と、前記遊技板後方対向壁のうち前記第１表示窓との対向位置に貫通形成された第２表示窓（セット盤開口部５１Ｄ）と、前記第２表示窓に後方から宛がわれ、遊技演出用の画像を表示するための表示装置と、前記遊技板後方対向壁のうち前記第２表示窓より下方の窓下方平板部と前記遊技板との間の中間に位置し、前記窓下方平板部のうち上下方向の中間位置より下側部分との間に前記収納部を形成する中間対向壁と、前記中間対向壁の上端部から前記遊技板側に突出し、上面が前記球受止部になった裏ステージ壁と、上下動して前記収納部に対して進退すると共に、前記収納位置で略全体が前記第２表示窓の下辺部より下方に位置すると共に、前記退出位置で少なくとも一部が前記第２表示窓の下辺部より上方に出現する前記移動体としての可動役物と備え、前記入賞口及び前記アウト口以外の部位としての前記第１表示窓を通過して前記遊技板の裏面側に侵入し、転落した遊技球を、前記裏ステージ壁の上面の前記球受止部で受け止め、その遊技球が前記可動役物が前記収納位置に配置された状態で前記球受止部に滞留したとしても、前記可動役物が前記退出位置に移動したときには、遊技球が前記収納部に移動して、前記収納部の前記収納底部排出口から前記循環排出路へと排出されるようにした遊技機である。
【００８０】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００８１】
（１）上記実施形態では、遊技機の一例としてパチンコ遊技機１０を例示したが、本発明はこれに限られず、アレンジボールやスマートボール等、遊技球を使用する他の遊技機に適用してもよい。また、本発明は遊技媒体として遊技球を使用する遊技機に限定するものではなく、例えば遊技媒体としてメダルを使用する遊技機に本発明を適用してもよい。
【００８２】
（２）上記実施形態では、入賞口及びアウト口以外の部位から遊技板１１の裏面側に侵入した侵入球を、遊技球循環システムに通じる循環排出路５２２へと案内するように構成していたが、侵入球をパチンコ遊技機１０の前面に備えた上皿２６又は下皿２７に案内するように構成してもよい。このようにすれば、遊技者の意図に反して遊技板１１の裏面側に侵入してしまった遊技球が遊技球循環システムに回収されることで、遊技者が不利益を被ることを防ぐことができる。
【００８３】
また、遊技板１１の裏面側に侵入した侵入球を、循環排出路、上皿及び下皿とは異なる、専用の遊技媒体回収部へと案内するようにしてもよい。
【００８４】
（３）上記実施形態では、遊技板開口部１１Ｈの下辺裏側に可動役物４０を備えていたが、別の位置に可動役物を備えていてもよい。
【００８５】
（４）上記実施形態では、可動役物４０が収納位置に戻る直前に収納部５５内に転落した遊技球が、区画壁５８の上面と可動役物４０の下面との間に挟まって、可動役物４０が収納位置に戻らなくなる可能性がある。そこで、可動役物４０の位置を検出する位置検出手段を設けておき、その位置検出手段が、所定時間を超えて収納位置を検出しなかった場合には、モータ４８によって可動役物４０を退出位置に移動させるようにしてもよい。これにより、区画壁５８と可動役物４０との間から遊技球を排除して、可動役物４０を収納位置に戻すことが可能になる。ここで、可動役物４０の位置は、公知な光学センサにより検出するようにしてもよいし、モータ４８の回転位置を位置検出手段（例えば、レゾルバ、エンコーダ等）にて検出して可動役物４０の位置を検出するようにしてもよい。
【００８６】
（５）上記実施形態において、パチンコ遊技機１０のメンテナンスを行う際に、可動役物４０を手動で退出位置に移動させて、収納部５５内の侵入球を循環排出路に排出するようにしてもよい。
【００８７】
（６）上記実施形態において、遊技球循環システムは遊技場に備えられていたが、入賞口などの入球口に入球した遊技球を遊技場に排出するのではなく、例えば、遊技機内で循環して再度貸し球や賞球などに使用する循環式遊技機などのように、遊技機自体に備えていてもよい。
【００８８】
（７）上記実施形態では、遊技領域Ｒ１に備えた複数の入球口のうちアウト口１６だけは遊技者に特典を付与しない構成となっていたが、アウト口１６も他の入賞口１４Ａ，１４Ｂ，１５，２０，２１への入賞時と同じ特典或いは、異なる特典を付与するようにしてもよい。
【００８９】
（８）上記実施形態では、本発明に係る「演出装置」として表示装置３０を備えていたが、表示装置以外の演出装置（可動役物装置など）を備えていてもよい。
【符号の説明】
【００９０】
１０    パチンコ遊技機
１１    遊技板
１１Ｈ    遊技板開口部（視認窓）
１４Ａ    第１の始動入賞口（入賞口）
１４Ｂ    第２の始動入賞口（入賞口）
１５    大入賞口（入賞口）
１６    アウト口
２０，２０    一般入賞口（入賞口）
２１，２１    サイド入賞口（入賞口）
２３    表示装飾枠
２４    ステージ
２６    上皿（貯留皿）
２７    下皿（貯留皿）
３０    表示装置（演出装置）
４０    可動役物（移動体）
４８    モータ（駆動源）
５０    裏セット盤（枠部材）
５１    ベース盤
５１Ａ    主板壁（遊技板後方対向壁）
５１Ｄ    セット盤開口部
５２Ａ    中間壁状部品（中間対向壁）
５２Ｈ    裏ステージ壁
５５    収納部
５５Ａ    収納底部排出口
５６    遊技球転落領域
５８    区画壁
５２１，５２２，５２３    循環排出路
Ｒ１    遊技領域
【図１】
2012090921.tif 000003
【図２】
2012090921.tif 000004
【図４】
2012090921.tif 000005
【図７】
2012090921.tif 000006
【図８】
2012090921.tif 000007
【図３】
2012090921.tif 000008
【図５】
2012090921.tif 000009
【図６】
2012090921.tif 000010
【図９】
2012090921.tif 000011
【図１０】
2012090921.tif 000012